(57)【要約】【課題】少ない洗浄液を用いてより速くインク経路を洗浄することができるインクジェットプリンタを提供すること。【解決手段】インクジェットプリンタ１０は、第１インクヘッド３０Ａから第１インク経路４２Ａ内の流体を吸引する第１吸引装置６２Ａと、第２インクヘッド３０Ｂから第２インク経路４２Ｂ内の流体を吸引する第２吸引装置６２Ｂと、を備え、制御装置７０は、第１インク経路４２Ａにカートリッジ９０Ｂが接続され、かつ、第２インク経路４２Ｂにカートリッジ９０Ｂが接続されていないときに、第１吸引装置６２Ａを駆動する第１の運転を行う第１制御部７１と、第１の運転の後、第２インク経路４２Ｂにカートリッジ９０Ｂが接続され、かつ、第１インク経路４２Ａにカートリッジ９０Ｂが接続されていないときに、第１吸引装置６２Ａおよび第２吸引装置６２Ｂを駆動する第２制御部７２と、を備えている。【選択図】図３
2017185660.tif 000002
【特許請求の範囲】
【請求項１】
インクを吐出する第１インクヘッドと、
前記第１インクヘッドの側方に設けられ、インクを吐出する第２インクヘッドと、
洗浄液を貯留するカートリッジが接続可能な第１上流端部と、前記第１インクヘッドに連通した第１下流端部と、を有する第１インク経路と、
前記カートリッジが接続可能な第２上流端部と、前記第２インクヘッドに連通した第２下流端部と、を有する第２インク経路と、
前記第１インクヘッドに取り付けられ、前記第１インクヘッドから前記第１インク経路の内部の流体を吸引する第１吸引装置と、
前記第２インクヘッドに取り付けられ、前記第２インクヘッドから前記第２インク経路の内部の流体を吸引する第２吸引装置と、
前記第１吸引装置および前記第２吸引装置の起動および停止を制御する制御装置と、を備え、
前記制御装置は、
前記第１インク経路に前記カートリッジが接続され、かつ、前記第２インク経路に前記カートリッジが接続されていないときに、少なくとも前記第１吸引装置を駆動する第１の運転を行う第１制御部と、
前記第１の運転の後、前記第２インク経路に前記カートリッジが接続され、かつ、前記第１インク経路に前記カートリッジが接続されていないときに、前記第１吸引装置および前記第２吸引装置を駆動する第２の運転を行う第２制御部と、
前記第２の運転の後、前記第１インク経路および前記第２インク経路に前記カートリッジが接続されていないときに、少なくとも前記第２吸引装置を駆動する第３の運転を行う第３制御部と、を備えている、インクジェットプリンタ。
【請求項２】
前記カートリッジが接続可能な第３上流端部と、前記第１インクヘッドに連通した第３下流端部と、を有する第３インク経路と、
前記カートリッジが接続可能な第４上流端部と、前記第２インクヘッドに連通した第４下流端部と、を有する第４インク経路と、
前記第１インク経路のうち前記第１上流端部と前記第１下流端部との間に設けられ、前記第１インク経路を開閉する第１メイン開閉機構と、
前記第２インク経路のうち前記第２上流端部と前記第２下流端部との間に設けられ、前記第２インク経路を開閉する第２メイン開閉機構と、
前記第３インク経路のうち前記第３上流端部と前記第３下流端部との間に設けられ、前記第３インク経路を開閉する第３メイン開閉機構と、
前記第４インク経路のうち前記第４上流端部と前記第４下流端部との間に設けられ、前記第４インク経路を開閉する第４メイン開閉機構と、を備え、
前記第１吸引装置は、前記第１インクヘッドから前記第１インク経路および前記第３インク経路の内部の流体を吸引し、
前記第２吸引装置は、前記第２インクヘッドから前記第２インク経路および前記第４インク経路の内部の流体を吸引し、
前記第１メイン開閉機構、前記第２メイン開閉機構、前記第３メイン開閉機構、および前記第４メイン開閉機構は、前記制御装置に制御され、
前記第１制御部は、前記第１インク経路に前記カートリッジが接続され、かつ、前記第２インク経路、前記第３インク経路および前記第４インク経路に前記カートリッジが接続されていないときに、前記第１メイン開閉機構を開いた状態とすると共に前記第３メイン開閉機構を閉じた状態とし、少なくとも前記第１吸引装置を駆動する第４の運転を前記第１の運転に代えて行うように構成され、
前記第２制御部は、前記第４の運転の後、前記第２インク経路に前記カートリッジが接続され、かつ、前記第１インク経路、前記第３インク経路および前記第４インク経路に前記カートリッジが接続されていないときに、前記第１メイン開閉機構および前記第２メイン開閉機構を開いた状態とすると共に前記第３メイン開閉機構および前記第４メイン開閉機構を閉じた状態とし、前記第１吸引装置および前記第２吸引装置を駆動する第５の運転を前記第２の運転に代えて行うように構成され、
前記第３制御部は、前記第５の運転の後、前記第３インク経路に前記カートリッジが接続され、かつ、前記第１インク経路、前記第２インク経路および前記第４インク経路に前記カートリッジが接続されていないときに、前記第２メイン開閉機構および前記第３メイン開閉機構を開いた状態とすると共に前記第１メイン開閉機構および前記第４メイン開閉機構を閉じた状態とし、前記第１吸引装置および前記第２吸引装置を駆動する第６の運転を前記第３の運転に代えて行うように構成され、
前記制御装置は、
前記第６の運転の後、前記第４インク経路に前記カートリッジが接続され、かつ、前記第１インク経路、前記第２インク経路および前記第３インク経路に前記カートリッジが接続されていないときに、前記第３メイン開閉機構および前記第４メイン開閉機構を開いた状態とすると共に前記第１メイン開閉機構および前記第２メイン開閉機構を閉じた状態とし、前記第１吸引装置および前記第２吸引装置を駆動する第７の運転を行う第４制御部と、
前記第７の運転の後、前記第１インク経路、前記第２インク経路、前記第３インク経路および前記第４インク経路に前記カートリッジが接続されていないときに、少なくとも前記第４メイン開閉機構を開いた状態とすると共に前記第３メイン開閉機構を閉じた状態とし、少なくとも前記第２吸引装置を駆動する第８の運転を行う第５制御部と、をさらに備えている、請求項１に記載のインクジェットプリンタ。
【請求項３】
前記第１吸引装置および前記第２吸引装置を駆動する第１モータを備え、
前記第１モータは、前記制御装置に制御される、請求項１または２に記載のインクジェットプリンタ。
【請求項４】
前記第２インクヘッドの側方に設けられ、インクを吐出する第３インクヘッドと、
前記第３インクヘッドの側方に設けられ、インクを吐出する第４インクヘッドと、
前記カートリッジが接続可能な第５上流端部と、前記第３インクヘッドに連通した第５下流端部と、を有する第５インク経路と、
前記カートリッジが接続可能な第６上流端部と、前記第４インクヘッドに連通した第６下流端部と、を有する第６インク経路と、
前記カートリッジが接続可能な第７上流端部と、前記第３インクヘッドに連通した第７下流端部と、を有する第７インク経路と、
前記カートリッジが接続可能な第８上流端部と、前記第４インクヘッドに連通した第８下流端部と、を有する第８インク経路と、
前記第５インク経路のうち前記第５上流端部と前記第５下流端部との間に設けられ、前記第５インク経路を開閉する第５メイン開閉機構と、
前記第６インク経路のうち前記第６上流端部と前記第６下流端部との間に設けられ、前記第６インク経路を開閉する第６メイン開閉機構と、
前記第７インク経路のうち前記第７上流端部と前記第７下流端部との間に設けられ、前記第７インク経路を開閉する第７メイン開閉機構と、
前記第８インク経路のうち前記第８上流端部と前記第８下流端部との間に設けられ、前記第８インク経路を開閉する第８メイン開閉機構と、
前記第３インクヘッドに取り付けられ、前記第３インクヘッドから前記第５インク経路および前記第７インク経路の内部の流体を吸引する第３吸引装置と、
前記第４インクヘッドに取り付けられ、前記第４インクヘッドから前記第６インク経路および前記第８インク経路の内部の流体を吸引する第４吸引装置と、を備え、
前記第５メイン開閉機構、前記第６メイン開閉機構、前記第７メイン開閉機構、および前記第８メイン開閉機構、並びに、前記第３吸引装置および前記第４吸引装置は、前記制御装置に制御され、
前記第１制御部は、前記第１インク経路および前記第６インク経路に前記カートリッジがそれぞれ独立して接続され、かつ、前記第２インク経路、前記第３インク経路、前記第４インク経路、前記第５インク経路、前記第７インク経路および前記第８インク経路に前記カートリッジが接続されていないときに、前記第１メイン開閉機構および前記第６メイン開閉機構を開いた状態とすると共に前記第３メイン開閉機構および前記第８メイン開閉機構を閉じた状態とし、少なくとも前記第１吸引装置および前記第４吸引装置を駆動する第９の運転を前記第４の運転に代えて行うように構成され、
前記第２制御部は、前記第９の運転の後、前記第２インク経路および前記第５インク経路に前記カートリッジがそれぞれ独立して接続され、かつ、前記第１インク経路、前記第３インク経路、前記第４インク経路、前記第６インク経路、前記第７インク経路および前記第８インク経路に前記カートリッジが接続されていないときに、前記第１メイン開閉機構、前記第２メイン開閉機構、前記第５メイン開閉機構および前記第６メイン開閉機構を開いた状態とすると共に前記第３メイン開閉機構、前記第４メイン開閉機構、前記第７メイン開閉機構および前記第８メイン開閉機構を閉じた状態とし、前記第１吸引装置、前記第２吸引装置、前記第３吸引装置および前記第４吸引装置を駆動する第１０の運転を前記第５の運転に代えて行うように構成され、
前記第３制御部は、前記第１０の運転の後、前記第３インク経路および前記第８インク経路に前記カートリッジがそれぞれ独立して接続され、かつ、前記第１インク経路、前記第２インク経路、前記第４インク経路、前記第５インク経路、前記第６インク経路および前記第７インク経路に前記カートリッジが接続されていないときに、前記第２メイン開閉機構、前記第３メイン開閉機構、前記第５メイン開閉機構および前記第８メイン開閉機構を開いた状態とすると共に前記第１メイン開閉機構、前記第４メイン開閉機構、前記第６メイン開閉機構および前記第７メイン開閉機構を閉じた状態とし、前記第１吸引装置、前記第２吸引装置、前記第３吸引装置および前記第４吸引装置を駆動する第１１の運転を前記第６の運転に代えて行うように構成され、
前記第４制御部は、前記第１１の運転の後、前記第４インク経路および前記第７インク経路に前記カートリッジがそれぞれ独立して接続され、かつ、前記第１インク経路、前記第２インク経路、前記第３インク経路、前記第５インク経路、前記第６インク経路および前記第８インク経路に前記カートリッジが接続されていないときに、前記第３メイン開閉機構、前記第４メイン開閉機構、前記第７メイン開閉機構および前記第８メイン開閉機構を開いた状態とすると共に前記第１メイン開閉機構、前記第２メイン開閉機構、前記第５メイン開閉機構および前記第６メイン開閉機構を閉じた状態とし、前記第１吸引装置、前記第２吸引装置、前記第３吸引装置および前記第４吸引装置を駆動する第１２の運転を前記第７の運転に代えて行うように構成され、
前記第５制御部は、前記第１２の運転の後、前記第１インク経路、前記第２インク経路、前記第３インク経路、前記第４インク経路、前記第５インク経路、前記第６インク経路、前記第７インク経路および前記第８インク経路に前記カートリッジが接続されていないときに、少なくとも前記第４メイン開閉機構および前記第７メイン開閉機構を開いた状態とすると共に前記第２メイン開閉機構および前記第５メイン開閉機構を閉じた状態とし、少なくとも前記第２吸引装置および前記第３吸引装置を駆動する第１３の運転を前記第８の運転に代えて行うように構成されている、請求項２に記載のインクジェットプリンタ。
【請求項５】
前記第１吸引装置および前記第２吸引装置を駆動する第１モータと、
前記第３吸引装置および前記第４吸引装置を駆動する第２モータと、を備え、
前記第１モータおよび前記第２モータは、前記制御装置に制御される、請求項４に記載のインクジェットプリンタ。
【請求項６】
前記第６インク経路のうち前記第６メイン開閉機構と前記第６下流端部との間に設けられ、前記第６インク経路を開閉する第６サブ開閉機構と、
前記第８インク経路のうち前記第８メイン開閉機構と前記第８下流端部との間に設けられ、前記第８インク経路を開閉する第８サブ開閉機構と、
前記第６インク経路における前記第６サブ開閉機構の上流部分と下流部分とを連通する第６バイパスインク経路と、
前記第８インク経路における前記第８サブ開閉機構の上流部分と下流部分とを連通する第８バイパスインク経路と、
前記第６バイパスインク経路に設けられ、前記第６バイパスインク経路を開閉する第６バイパス開閉機構と、
前記第８バイパスインク経路に設けられ、前記第８バイパスインク経路を開閉する第８バイパス開閉機構と、を備え、
前記第６サブ開閉機構および前記第８サブ開閉機構、並びに、前記第６バイパス開閉機構および前記第８バイパス開閉機構は、前記制御装置に制御され、
前記第１制御部は、前記第１インク経路および前記第６インク経路に前記カートリッジがそれぞれ独立して接続され、かつ、前記第２インク経路、前記第３インク経路、前記第４インク経路、前記第５インク経路、前記第７インク経路および前記第８インク経路に前記カートリッジが接続されていないときに、前記第１メイン開閉機構、前記第６メイン開閉機構および前記第６バイパス開閉機構を開いた状態とすると共に前記第３メイン開閉機構、前記第８メイン開閉機構および前記第６サブ開閉機構を閉じた状態とし、少なくとも前記第１吸引装置および前記第４吸引装置を駆動する第１４の運転を前記第９の運転に代えて行うように構成され、
前記第２制御部は、前記第１４の運転の後、前記第２インク経路および前記第５インク経路に前記カートリッジがそれぞれ独立して接続され、かつ、前記第１インク経路、前記第３インク経路、前記第４インク経路、前記第６インク経路、前記第７インク経路および前記第８インク経路に前記カートリッジが接続されていないときに、前記第１メイン開閉機構、前記第２メイン開閉機構、前記第５メイン開閉機構、前記第６メイン開閉機構および前記第６バイパス開閉機構を開いた状態とすると共に前記第３メイン開閉機構、前記第４メイン開閉機構、前記第７メイン開閉機構、前記第８メイン開閉機構および前記第６サブ開閉機構を閉じた状態とし、前記第１吸引装置、前記第２吸引装置、前記第３吸引装置および前記第４吸引装置を駆動する第１５の運転を前記第１０の運転に代えて行うように構成され、
前記第３制御部は、前記第１５の運転の後、前記第３インク経路および前記第８インク経路に前記カートリッジがそれぞれ独立して接続され、かつ、前記第１インク経路、前記第２インク経路、前記第４インク経路、前記第５インク経路、前記第６インク経路および前記第７インク経路に前記カートリッジが接続されていないときに、前記第２メイン開閉機構、前記第３メイン開閉機構、前記第５メイン開閉機構、前記第８メイン開閉機構および前記第８バイパス開閉機構を開いた状態とすると共に前記第１メイン開閉機構、前記第４メイン開閉機構、前記第６メイン開閉機構、前記第７メイン開閉機構および前記第８サブ開閉機構を閉じた状態とし、前記第１吸引装置、前記第２吸引装置、前記第３吸引装置および前記第４吸引装置を駆動する第１６の運転を前記第１１の運転に代えて行うように構成され、
前記第４制御部は、前記第１６の運転の後、前記第４インク経路および前記第７インク経路に前記カートリッジがそれぞれ独立して接続され、かつ、前記第１インク経路、前記第２インク経路、前記第３インク経路、前記第５インク経路、前記第６インク経路および前記第８インク経路に前記カートリッジが接続されていないときに、前記第３メイン開閉機構、前記第４メイン開閉機構、前記第７メイン開閉機構、前記第８メイン開閉機構および第８バイパス開閉機構を開いた状態とすると共に前記第１メイン開閉機構、前記第２メイン開閉機構、前記第５メイン開閉機構、前記第６メイン開閉機構および第８サブ開閉機構を閉じた状態とし、前記第１吸引装置、前記第２吸引装置、前記第３吸引装置および前記第４吸引装置を駆動する第１７の運転を前記第１２の運転に代えて行うように構成され、
前記第５制御部は、前記第１７の運転の後、前記第６インク経路に前記カートリッジが接続され、かつ、前記第１インク経路、前記第２インク経路、前記第３インク経路、前記第４インク経路、前記第５インク経路および前記第７インク経路に前記カートリッジが接続されていないときに、前記第４メイン開閉機構、前記第６メイン開閉機構、前記第７メイン開閉機構および第６サブ開閉機構を開いた状態とすると共に前記第２メイン開閉機構、前記第５メイン開閉機構、前記第８メイン開閉機構および前記第６バイパス開閉機構を閉じた状態とし、少なくとも前記第２吸引装置、前記第３吸引装置および前記第４吸引装置を駆動する第１８の運転を前記第１３の運転に代えて行うように構成され、
前記制御装置は、
前記第１８の運転の後、前記第１インク経路、前記第２インク経路、前記第３インク経路、前記第４インク経路、前記第５インク経路、前記第６インク経路、前記第７インク経路および前記第８インク経路に前記カートリッジが接続されていないときに、前記第６メイン開閉機構および第６サブ開閉機構を開いた状態とすると共に前記第８メイン開閉機構および前記第６バイパス開閉機構を閉じた状態とし、少なくとも前記第４吸引装置を駆動する第１９の運転を行う第６制御部と、
前記第１７の運転の後、前記第８インク経路に前記カートリッジが接続され、かつ、前記第１インク経路、前記第２インク経路、前記第３インク経路、前記第４インク経路、前記第５インク経路および前記第７インク経路に前記カートリッジが接続されていないときに、前記第８メイン開閉機構および第８サブ開閉機構を開いた状態とすると共に前記第６メイン開閉機構および前記第８バイパス開閉機構を閉じた状態とし、少なくとも前記第４吸引装置を駆動する第２０の運転を行う第７制御部と、
前記第２０の運転の後、前記第１インク経路、前記第２インク経路、前記第３インク経路、前記第４インク経路、前記第５インク経路、前記第６インク経路、前記第７インク経路および前記第８インク経路に前記カートリッジが接続されていないときに、前記第８メイン開閉機構および第８サブ開閉機構を開いた状態とすると共に、前記第６メイン開閉機構および前記第８バイパス開閉機構を閉じた状態とし、少なくとも前記第４吸引装置を駆動する第２１の運転を行う第８制御部と、をさらに備えている、請求項４または５に記載のインクジェットプリンタ。
【請求項７】
インクを吐出する第１インクヘッドと、
前記第１インクヘッドの側方に設けられ、インクを吐出する第２インクヘッドと、
洗浄液を貯留するカートリッジが接続可能な第１上流端部と、前記第１インクヘッドに連通した第１下流端部と、を有する第１インク経路と、
前記カートリッジが接続可能な第２上流端部と、前記第２インクヘッドに連通した第２下流端部と、を有する第２インク経路と、
前記第１インクヘッドに取り付けられ、前記第１インクヘッドから前記第１インク経路の内部の流体を吸引する第１吸引装置と、
前記第２インクヘッドに取り付けられ、前記第２インクヘッドから前記第２インク経路の内部の流体を吸引する第２吸引装置と、
を備えたインクジェットプリンタにおいて、前記第１インク経路および前記第２インク経路を洗浄する方法であって、
前記第１インク経路に前記カートリッジが接続され、かつ、前記第２インク経路に前記カートリッジが接続されていない状態において、少なくとも前記第１吸引装置を駆動することにより、前記第１インク経路に前記洗浄液を流入させる第１工程と、
前記第２インク経路に前記カートリッジが接続され、かつ、前記第１インク経路に前記カートリッジが接続されていない状態において、前記第１吸引装置および前記第２吸引装置を駆動することにより、前記第１インク経路から前記洗浄液を抜き取りかつ前記第２インク経路に前記洗浄液を流入させる第２工程と、
前記第１インク経路および前記第２インク経路に前記カートリッジが接続されていない状態において、少なくとも前記第２吸引装置を駆動することにより、前記第２インク経路から前記洗浄液を抜き取る第３工程と、を包含する、インク経路の洗浄方法。
【請求項８】
インクを吐出する第１インクヘッドと、
前記第１インクヘッドの側方に設けられ、インクを吐出する第２インクヘッドと、
洗浄液を貯留するカートリッジが接続可能な第１上流端部と、前記第１インクヘッドに連通した第１下流端部と、を有する第１インク経路と、
前記カートリッジが接続可能な第２上流端部と、前記第２インクヘッドに連通した第２下流端部と、を有する第２インク経路と、
前記カートリッジが接続可能な第３上流端部と、前記第１インクヘッドに連通した第３下流端部と、を有する第３インク経路と、
前記カートリッジが接続可能な第４上流端部と、前記第２インクヘッドに連通した第４下流端部と、を有する第４インク経路と、
前記第１インク経路のうち前記第１上流端部と前記第１下流端部との間に設けられ、前記第１インク経路を開閉する第１メイン開閉機構と、
前記第２インク経路のうち前記第２上流端部と前記第２下流端部との間に設けられ、前記第２インク経路を開閉する第２メイン開閉機構と、
前記第３インク経路のうち前記第３上流端部と前記第３下流端部との間に設けられ、前記第３インク経路を開閉する第３メイン開閉機構と、
前記第４インク経路のうち前記第４上流端部と前記第４下流端部との間に設けられ、前記第４インク経路を開閉する第４メイン開閉機構と、
前記第１インクヘッドに取り付けられ、前記第１インクヘッドから前記第１インク経路および前記第３インク経路の内部の流体を吸引する第１吸引装置と、
前記第２インクヘッドに取り付けられ、前記第２インクヘッドから前記第２インク経路および前記第４インク経路の内部の流体を吸引する第２吸引装置と、
を備えたインクジェットプリンタにおいて、前記第１インク経路、前記第２インク経路、前記第３インク経路および前記第４インク経路を洗浄する方法であって、
前記第１インク経路に前記カートリッジが接続され、かつ、前記第２インク経路、前記第３インク経路および前記第４インク経路に前記カートリッジが接続されていない状態において、前記第１メイン開閉機構を開いた状態とすると共に前記第３メイン開閉機構を閉じた状態とし、少なくとも前記第１吸引装置を駆動することにより、前記第１インク経路に前記洗浄液を流入させる第１工程と、
前記第２インク経路に前記カートリッジが接続され、かつ、前記第１インク経路、前記第３インク経路および前記第４インク経路に前記カートリッジが接続されていない状態において、前記第１メイン開閉機構および前記第２メイン開閉機構を開いた状態とすると共に前記第３メイン開閉機構および前記第４メイン開閉機構を閉じた状態とし、前記第１吸引装置および前記第２吸引装置を駆動することにより、前記第１インク経路から前記洗浄液を抜き取りかつ前記第２インク経路に前記洗浄液を流入させる第２工程と、
前記第３インク経路に前記カートリッジが接続され、かつ、前記第１インク経路、前記第２インク経路および前記第４インク経路に前記カートリッジが接続されていない状態において、前記第２メイン開閉機構および前記第３メイン開閉機構を開いた状態とすると共に前記第１メイン開閉機構および前記第４メイン開閉機構を閉じた状態とし、前記第１吸引装置および前記第２吸引装置を駆動することにより、前記第２インク経路から前記洗浄液を抜き取りかつ前記第３インク経路に前記洗浄液を流入させる第３工程と、
前記第４インク経路に前記カートリッジが接続され、かつ、前記第１インク経路、前記第２インク経路および前記第３インク経路に前記カートリッジが接続されていない状態において、前記第３メイン開閉機構および前記第４メイン開閉機構を開いた状態とすると共に、前記第１メイン開閉機構および前記第２メイン開閉機構を閉じた状態とし、前記第１吸引装置および前記第２吸引装置を駆動することにより、前記第３インク経路から前記洗浄液を抜き取りかつ前記第４インク経路に前記洗浄液を流入させる第４工程と、
前記第１インク経路、前記第２インク経路、前記第３インク経路および前記第４インク経路に前記カートリッジが接続されていない状態において、少なくとも前記第４メイン開閉機構を開いた状態とすると共に、前記第３メイン開閉機構を閉じた状態とし、少なくとも前記第２吸引装置を駆動することにより、前記第４インク経路から前記洗浄液を抜き取る第５工程と、を包含する、インク経路の洗浄方法。
【発明の詳細な説明】
【技術分野】
【０００１】
本発明は、インクジェットプリンタおよびインク経路の洗浄方法に関する。
【背景技術】
【０００２】
従来から、インクジェット方式により記録媒体上に所定の印刷を行うインクジェットプリンタが知られている。インクジェットプリンタは、インクの供給源たるインクカートリッジとインクヘッドとをつなぐインクの供給経路（以下、単に「インク経路」という。）を備えている。
【０００３】
インクジェットプリンタにおいて、インクヘッドから吐出させるインクを異なる種類のインクに変更したり、インク経路が詰まったりしたときに、インク経路の内部にインクを溶解させることが可能な洗浄液を流入させる。これにより、インク経路の内部が洗浄され、他のインクに変更してもインク同士が混ざり合うことによる混色の発生が防止されたり、吐出不良等を解消したりすることができる。
【発明の概要】
【発明が解決しようとする課題】
【０００４】
ところで、インクジェットプリンタにおいて、溶剤インク（有機溶剤に顔料を分散したインク）を用いて印刷を行う場合、溶剤インクをインク経路に流入させる前にインク経路を有機溶剤からなる洗浄液で洗浄する必要がある。洗浄液は、通常、カートリッジに貯留されており、カートリッジをインク経路に接続することによって、インク経路に洗浄液を流入させる。
【０００５】
ここで、インクジェットプリンタが複数のインクヘッドとインク経路とを備えている場合、従来は、１つのインク経路に洗浄液を流入させた後、該インク経路から洗浄液を抜き取り、次のインク経路においても同様にして洗浄液の流入と抜き取りとを行っていた。このため、インク経路の数が多くなるとインク経路の洗浄に多くの時間を要していた。一方、複数のカートリッジを用いて、各インク経路において同時に洗浄液の流入と抜き取りとを行うことも考えられるが、この場合、各カートリッジには洗浄に用いられなかった洗浄液が多く残り、洗浄液の無駄が発生していた。有機溶剤は、管理、保管の制限が厳しくまた比較的高価であることから、必要最小限の洗浄液を用いてインク経路の洗浄を行うことが望まれている。
【０００６】
本発明はかかる点に鑑みてなされたものであり、その目的は、少ない洗浄液を用いてより速くインク経路を洗浄することができるインクジェットプリンタを提供することである。
【課題を解決するための手段】
【０００７】
本発明者は、インク経路に洗浄液を流入させるのに要する時間と、インク経路から洗浄液を抜き取るのに要する時間とがほぼ同等であることに着目し、一のインク経路に洗浄液を流入させるのと同時に他のインク経路から洗浄液を抜き取ることによって、インク経路の洗浄に要する時間を短縮することができることを見出した。
【０００８】
本発明に係るインクジェットプリンタは、インクを吐出する第１インクヘッドと、前記第１インクヘッドの側方に設けられ、インクを吐出する第２インクヘッドと、洗浄液を貯留するカートリッジが接続可能な第１上流端部と、前記第１インクヘッドに連通した第１下流端部と、を有する第１インク経路と、前記カートリッジが接続可能な第２上流端部と、前記第２インクヘッドに連通した第２下流端部と、を有する第２インク経路と、前記第１インクヘッドに取り付けられ、前記第１インクヘッドから前記第１インク経路の内部の流体を吸引する第１吸引装置と、前記第２インクヘッドに取り付けられ、前記第２インクヘッドから前記第２インク経路の内部の流体を吸引する第２吸引装置と、前記第１吸引装置および前記第２吸引装置の起動および停止を制御する制御装置と、を備え、前記制御装置は、前記第１インク経路に前記カートリッジが接続され、かつ、前記第２インク経路に前記カートリッジが接続されていないときに、少なくとも前記第１吸引装置を駆動する第１の運転を行う第１制御部と、前記第１の運転の後、前記第２インク経路に前記カートリッジが接続され、かつ、前記第１インク経路に前記カートリッジが接続されていないときに、前記第１吸引装置および前記第２吸引装置を駆動する第２の運転を行う第２制御部と、前記第２の運転の後、前記第１インク経路および前記第２インク経路に前記カートリッジが接続されていないときに、少なくとも前記第２吸引装置を駆動する第３の運転を行う第３制御部と、を備えている。
【０００９】
本発明のインクジェットプリンタによると、第１インク経路にカートリッジが接続され、かつ、第２インク経路にカートリッジが接続されていないときに、第１制御部は、少なくとも第１吸引装置を駆動する第１の運転を行う。これにより、第１インク経路には、洗浄液が流入される。そして、第１の運転の後、第２インク経路にカートリッジが接続され、かつ、第１インク経路にカートリッジが接続されていないときに、第２制御部は、第１吸引装置および第２吸引装置を駆動する第２の運転を行う。これにより、第１インク経路内に流入された洗浄液は、第１吸引装置によって第１インク経路から抜き取られる。これと同時に、第２インク経路には、洗浄液が流入される。このように、第１インク経路からの洗浄液の抜き取りと、第２インク経路への洗浄液の流入が同時に行われるため、これらを独立して行う場合と比較して時間を短縮することができる。また、第１インク経路および第２インク経路に同時に洗浄液を流入させないため、洗浄液カートリッジは１つあれば足り、洗浄液の無駄を低減することができる。
【発明の効果】
【００１０】
本発明によれば、少ない洗浄液を用いてより速くインク経路を洗浄することができるインクジェットプリンタを提供することができる。
【図面の簡単な説明】
【００１１】
【図１】一実施形態に係るインクジェットプリンタを示す斜視図である。
【図２】一実施形態に係るインクジェットプリンタにおけるインク経路の説明図である。
【図３】第１の洗浄処理の手順を示すフローチャートである。
【図４Ａ】第１の洗浄処理に係るインク経路の洗浄状態を示す説明図である。
【図４Ｂ】第１の洗浄処理に係るインク経路の洗浄状態を示す説明図である。
【図４Ｃ】第１の洗浄処理に係るインク経路の洗浄状態を示す説明図である。
【図４Ｄ】第１の洗浄処理に係るインク経路の洗浄状態を示す説明図である。
【図４Ｅ】第１の洗浄処理に係るインク経路の洗浄状態を示す説明図である。
【図４Ｆ】第１の洗浄処理に係るインク経路の洗浄状態を示す説明図である。
【図５】一実施形態に係る制御装置の構成を示すブロック図である。
【図６】他の一実施形態に係るインクジェットプリンタにおけるインク経路の説明図である。
【図７】第２の洗浄処理の手順を示すフローチャートである。
【図８Ａ】第２の洗浄処理に係るインク経路の洗浄状態を示す説明図である。
【図８Ｂ】第２の洗浄処理に係るインク経路の洗浄状態を示す説明図である。
【図８Ｃ】第２の洗浄処理に係るインク経路の洗浄状態を示す説明図である。
【図８Ｄ】第２の洗浄処理に係るインク経路の洗浄状態を示す説明図である。
【図８Ｅ】第２の洗浄処理に係るインク経路の洗浄状態を示す説明図である。
【図８Ｆ】第２の洗浄処理に係るインク経路の洗浄状態を示す説明図である。
【図９】他の一実施形態に係るインクジェットプリンタにおけるインク経路の説明図である。
【図１０Ａ】第３の洗浄処理の手順を示すフローチャートである。
【図１０Ｂ】第３の洗浄処理の手順を示すフローチャートである。
【図１１Ａ】第３の洗浄処理に係るインク経路の洗浄状態を示す説明図である。
【図１１Ｂ】第３の洗浄処理に係るインク経路の洗浄状態を示す説明図である。
【図１１Ｃ】第３の洗浄処理に係るインク経路の洗浄状態を示す説明図である。
【図１１Ｄ】第３の洗浄処理に係るインク経路の洗浄状態を示す説明図である。
【図１１Ｅ】第３の洗浄処理に係るインク経路の洗浄状態を示す説明図である。
【図１１Ｆ】第３の洗浄処理に係るインク経路の洗浄状態を示す説明図である。
【図１１Ｇ】第３の洗浄処理に係るインク経路の洗浄状態を示す説明図である。
【図１１Ｈ】第３の洗浄処理に係るインク経路の洗浄状態を示す説明図である。
【図１１Ｉ】第３の洗浄処理に係るインク経路の洗浄状態を示す説明図である。
【図１２】他の一実施形態に係る制御装置の構成を示すブロック図である。
【図１３】第４の洗浄処理の手順の一部を示すフローチャートである。
【図１４Ａ】第４の洗浄処理に係るインク経路の洗浄状態を示す説明図である。
【図１４Ｂ】第４の洗浄処理に係るインク経路の洗浄状態を示す説明図である。
【図１４Ｃ】第４の洗浄処理に係るインク経路の洗浄状態を示す説明図である。
【図１４Ｄ】第４の洗浄処理に係るインク経路の洗浄状態を示す説明図である。
【発明を実施するための形態】
【００１２】
以下、図面を参照しながら、本発明の実施形態に係るインクジェットプリンタについて説明する。なお、ここで説明される実施形態は、当然ながら特に本発明を限定することを意図したものではない。また、同じ作用を奏する部材・部位には同じ符号を付し、重複する説明は適宜省略または簡略化する。
【００１３】
図１は、本実施形態に係るインクジェットプリンタ１０を示す斜視図である。図１に示すように、インクジェットプリンタ１０は、記録媒体１２に印刷を行う。記録媒体１２は、例えば、記録紙である。ただし、記録媒体１２は、記録紙に限定されない。例えば、記録媒体１２は、シート状のメディア、例えば、樹脂製のシートなどであってもよい。
【００１４】
以下の説明では、左、右、上、下とは、インクジェットプリンタ１０の正面にいる作業者から見た左、右、上、下をそれぞれ意味することとする。また、インクジェットプリンタ１０から上記作業者に近づく方を前方、遠ざかる方を後方とする。図面中の符号Ｆ、Ｒｒ、Ｌ、Ｒ、Ｕ、Ｄは、それぞれ前、後、左、右、上、下を表す。後述するインクジェットヘッド２５は左方および右方に移動可能である。記録媒体１２は、前方および後方に搬送可能である。本実施形態では、インクジェットヘッド２５の移動方向を主走査方向Ａといい、記録媒体１２の搬送方向を副走査方向Ｂという。ここでは、主走査方向Ａは左右方向に対応し、副走査方向Ｂは前後方向に対応する。主走査方向Ａと副走査方向Ｂとは直交している。ただし、主走査方向Ａおよび副走査方向Ｂは特に限定される訳ではなく、インクジェットプリンタ１０の形態等に応じて適宜に設定可能である。
【００１５】
＜第１実施形態＞
図１に示すように、インクジェットプリンタ１０は、プラテン１４と、左方部材１５Ｌおよび右方部材１５Ｒと、側方ユニット１６と、中央壁１７と、ガイドレール１８と、ワイヤー１９と、インクジェットヘッド２５とを備えている。
【００１６】
プラテン１４は、基台部材２０に支持されている。プラテン１４は、主走査方向Ａに延びる。プラテン１４には、記録媒体１２が配置される。左方部材１５Ｌおよび右方部材１５Ｒは、プラテン１４の左端および右端にそれぞれ配置されている。側方ユニット１６は、右方部材１５Ｒの側方に設けられ、その表面に表示部１６Ａを備えている。中央壁１７は、左方部材１５Ｌおよび右方部材１５Ｒを連結している。ガイドレール１８は、中央壁１７の壁面に配設され、主走査方向Ａに延びている。ワイヤー１９は、中央壁１７の壁面に平行して配置されている。ワイヤー１９は、主走査方向Ａに移動自在である。
【００１７】
インクジェットヘッド２５は、プラテン１４の上方に配置されている。インクジェットヘッド２５は、キャリッジ２８と、ケース２９と、第１インクヘッド３０Ａ（図２参照）と、第２インクヘッド３０Ｂ（図２参照）とを備えている。キャリッジ２８は、ワイヤー１９に固定され、ガイドレール１８に摺動自在に装着されている。ケース２９は、キャリッジ２８に固定されている。第１インクヘッド３０Ａおよび第２インクヘッド３０Ｂは、ケース２９内に収容されている。第１インクヘッド３０Ａおよび第２インクヘッド３０Ｂは、インクを吐出する。第２インクヘッド３０Ｂは、第１インクヘッド３０Ａの側方に配置されている。第１インクヘッド３０Ａおよび第２インクヘッド３０Ｂは、プラテン１４よりも上方に配置されている。インクジェットヘッド２５は、キャリッジ２８がガイドレール１８に沿って主走査方向Ａに移動する間に、第１インクヘッド３０Ａおよび第２インクヘッド３０Ｂから記録紙１２にインクを吐出するように構成されている。
【００１８】
インクジェットプリンタ１０は、制御装置７０を備えている。インクジェットプリンタ１０の全体の動作は、制御装置７０によって制御される。制御装置７０は、例えば、コンピュータであり、中央演算処理装置（以下、ＣＰＵという）と、ＣＰＵが実行するプログラムなどを格納したＲＯＭと、ＲＡＭなどを備えていてもよい。
【００１９】
インクジェットプリンタ１０においては、制御装置７０の制御に従って記録紙１２上に印刷が行われる。即ち、まず、給紙装置（図示せず。）によって、プラテン１４上に記録紙１２が供給される。また、ワイヤー１９は、モータ（図示せず）の駆動等によって巻き取られ、中央壁１７に沿って移動する。ワイヤー１９が移動すると、キャリッジ２８に搭載された第１インクヘッド３０Ａ（図２参照）および第２インクヘッド３０Ｂ（図２参照）が、主走査方向Ａにおける行き方向（往路）および帰り方向（復路）に記録紙１２上を往復移動する。第１インクヘッド３０Ａおよび第２インクヘッド３０Ｂは、往復移動の際に記録紙１２に対してインクを吐出する。これによって、記録紙１２上に印刷が行われる。
【００２０】
インクジェットプリンタ１０では、側方ユニット１６に吸引装置６０が設けられている。吸引装置６０は、例えばインクジェットヘッド２５が待機位置のときに、第１インクヘッド３０Ａの下面に設けられたノズル面３１Ａ（図２参照）および第２インクヘッド３０Ｂの下面に設けられたノズル面３１Ｂ（図２参照）をキャッピングするように配置されている。また、側方ユニット１６には、インク経路４０（図２参照）が形成されている。インク経路４０は、着脱可能なカートリッジから第１インクヘッド３０Ａおよび第２インクヘッド３０Ｂへとインクや洗浄液を供給するための経路である。
【００２１】
図２は、インクジェットプリンタ１０のインク経路４０の概略構成を示す説明図である。図２に示すように、インク経路４０は、第１インク経路４２Ａと、第２インク経路４２Ｂと、第３インク経路４２Ｃと、第４インク経路４２Ｄとを備えている。第１インク経路４２Ａ〜第４インク経路４２Ｄは、チューブである。第１インク経路４２Ａは、インクを貯留するカートリッジ９０Ａまたは洗浄液を貯留するカートリッジ９０Ｂが接続可能な第１上流端部４３Ａと、第１インクヘッド３０Ａに連通した第１下流端部４４Ａとを有している。第２インク経路４２Ｂは、カートリッジ９０Ａ（カートリッジ９０Ｂ）が接続可能な第２上流端部４３Ｂと、第２インクヘッド３０Ｂに連通した第２下流端部４４Ｂとを有している。第３インク経路４２Ｃは、カートリッジ９０Ａ（カートリッジ９０Ｂ）が接続可能な第３上流端部４３Ｃと、第１インクヘッド３０Ａに連通した第３下流端部４４Ｃとを有している。第４インク経路４２Ｄは、カートリッジ９０Ａ（カートリッジ９０Ｂ）が接続可能な第４上流端部４３Ｄと、第２インクヘッド３０Ｂに連通した第４下流端部４４Ｄとを有している。
【００２２】
カートリッジ９０Ａは、インクを貯留している。カートリッジ９０Ｂは、インクを溶解することが可能な洗浄液を貯留している。印刷時には、インクを貯留したカートリッジ９０Ａが第１インク経路４２Ａ〜第４インク経路４２Ｄに接続される。インク経路４０の洗浄時には、洗浄液を貯留したカートリッジ９０Ｂが第１インク経路４２Ａ〜第４インク経路４２Ｄに接続される。
【００２３】
図２に示すように、インク経路４０は、第１メイン開閉機構４５Ａと、第２メイン開閉機構４５Ｂと、第３メイン開閉機構４５Ｃと、第４メイン開閉機構４５Ｄとを備えている。第１メイン開閉機構４５Ａ〜第４メイン開閉機構４５Ｄには、制御装置７０が接続されている。第１メイン開閉機構４５Ａ〜第４メイン開閉機構４５Ｄの開閉状態は、制御装置７０に制御される。第１メイン開閉機構４５Ａは、第１インク経路４２Ａのうち第１上流端部４３Ａと第１下流端部４４Ａとの間に設けられている。第１メイン開閉機構４５Ａは、第１インク経路４２Ａを開閉する。第２メイン開閉機構４５Ｂは、第２インク経路４２Ｂのうち第２上流端部４３Ｂと第２下流端部４４Ｂとの間に設けられている。第２メイン開閉機構４５Ｂは、第２インク経路４２Ｂを開閉する。第３メイン開閉機構４５Ｃは、第３インク経路４２Ｃのうち第３上流端部４３Ｃと第３下流端部４４Ｃとの間に設けられている。第３メイン開閉機構４５Ｃは、第３インク経路４２Ｃを開閉する。第４メイン開閉機構４５Ｄは、第４インク経路４２Ｄのうち第４上流端部４３Ｄと第４下流端部４４Ｄとの間に設けられている。第４メイン開閉機構４５Ｄは、第４インク経路４２Ｄを開閉する。
【００２４】
本実施形態では、第１メイン開閉機構４５Ａ〜第４メイン開閉機構４５Ｄは、加圧ポンプである。加圧ポンプを駆動することによって、第１インク経路４２Ａ〜第４インク経路４２Ｄが押しつぶされて、第１インク経路４２Ａ〜第４インク経路４２Ｄがそれぞれ塞がれるように構成されている。なお、第１メイン開閉機構４５Ａ〜第４メイン開閉機構４５Ｄは、チョークバルブ等のバルブであってもよい。
【００２５】
図２に示すように、吸引装置６０は、第１吸引装置６２Ａと、第２吸引装置６２Ｂとを備えている。第１吸引装置６２Ａは、第１インクヘッド３０Ａに取り付けられる。第１吸引装置６２Ａは、第１インクヘッド３０Ａから第１インク経路４２Ａおよび第３インク経路４２Ｃの内部の流体を吸引する。第１吸引装置６２Ａは、第１インクヘッド３０Ａのノズルが形成されたノズル面３１Ａを覆うキャップ６３Ａと、第１吸引ポンプ６４Ａと、チューブ６５Ａとを備えている。第２吸引装置６２Ｂは、第２インクヘッド３０Ｂに取り付けられる。第２吸引装置６２Ｂは、第２インクヘッド３０Ｂから第２インク経路４２Ｂおよび第４インク経路４２Ｄの内部の流体を吸引する。第２吸引装置６２Ｂは、第２インクヘッド３０Ｂのノズルが形成されたノズル面３１Ｂを覆うキャップ６３Ｂと、第２吸引ポンプ６４Ｂと、チューブ６５Ｂとを備えている。チューブ６５Ａおよびチューブ６５Ｂは、廃液タンク（図示せず）に接続されている。第１吸引装置６２Ａおよび第２吸引装置６２Ｂは、制御装置７０によってその起動および停止が制御される。第１吸引ポンプ６４Ａおよび第２吸引ポンプ６４Ｂは、制御装置７０に接続されている。第１吸引ポンプ６４Ａおよび第２吸引ポンプ６４Ｂの起動および停止は、制御装置７０に制御される。なお、本明細書において「流体」とは、液体と気体の総称を意味する。流体としては、例えば、インク、洗浄液および空気等が挙げられる。
【００２６】
カートリッジ９０Ａ、９０Ｂからインク経路４０にインクや洗浄液を流入させたり、インク経路４０からインクや洗浄液を抜き取ったりする際には、第１吸引ポンプ６４Ａおよび第２吸引ポンプ６４Ｂを用いる。具体的には、インクジェットヘッド２５を側方ユニット１６（図１参照）に移動させ、キャップ６３Ａ、６３Ｂによって、第１インクヘッド３０Ａのノズル面３１Ａおよび第２インクヘッド３０Ｂのノズル面３１Ｂをそれぞれキャッピングする。この状態で第１吸引ポンプ６４Ａおよび第２吸引ポンプ６４Ｂを稼動させて吸引を行う。
【００２７】
図２に示すように、吸引装置６０は、第１モータ６６Ａを備えている。第１モータ６６Ａは、第１吸引装置６２Ａおよび第２吸引装置６２Ｂを駆動する。本実施形態では、第１モータ６６Ａは、第１吸引ポンプ６４Ａおよび第２吸引ポンプ６４Ｂに接続されている。このため、第１吸引ポンプ６４Ａおよび第２吸引ポンプ６４Ｂの出力は、互いに同じとなる。第１モータ６６Ａは、制御装置７０に接続されている。第１モータ６６Ａの起動および停止は、制御装置７０に制御される。第１モータ６６Ａの回転速度を調整することによって、第１インク経路４２Ａ〜第４インク経路４２Ｄに洗浄液を流入させる速度や、洗浄液を抜き取る速度を調整することができる。なお、第１吸引ポンプ６４Ａを駆動するモータおよび第２吸引ポンプ６４Ｂを駆動するモータをそれぞれ設けてもよい。
【００２８】
以下、インク経路を洗浄する方法を具体的に説明する。図３は、第１実施形態に係るインク経路の洗浄処理（第１の洗浄処理）の手順を示すフローチャートである。また、図４Ａ〜図４Ｆは、第１の洗浄処理に係るインク経路の洗浄状態を示す説明図である。図４Ａ〜図４Ｆにおいて、矢印Ｘは、洗浄液の流れを示している。また、図４Ａ〜図４Ｆの第１メイン開閉機構４５Ａ〜第４メイン開閉機構４５Ｄにおいて、「×」は、閉じた状態を示している。
【００２９】
図４Ａに示すように、第１の洗浄処理の開始時には、第１インク経路４２Ａ〜第４インク経路４２Ｄには、洗浄液を貯留するカートリッジ９０Ｂは接続されていない。
【００３０】
第１の洗浄処理では、まず、ステップＳ１０において、第１インク経路４２Ａにカートリッジ９０Ｂを接続する（図４Ｂ参照）。
【００３１】
次に、ステップＳ２０において、少なくとも第１メイン開閉機構４５Ａを開状態（開いた状態）とすると共に、第３メイン開閉機構４５Ｃを閉状態（閉じた状態）とする。
【００３２】
次に、ステップＳ３０において、少なくとも第１吸引装置６２Ａの第１吸引ポンプ６４Ａを所定の時間だけ駆動する。即ち、第１モータ６６Ａを所定の時間だけ駆動する。第１モータ６６Ａは、第１吸引ポンプ６４Ａおよび第２吸引ポンプ６４Ｂに接続されているため、第１モータ６６Ａを駆動すると、第１吸引ポンプ６４Ａおよび第２吸引ポンプ６４Ｂが駆動される。これにより、カートリッジ９０Ｂから一定量の洗浄液が第１インク経路４２Ａに流入する。所定の時間が経過した後、第１吸引ポンプ６４Ａを停止する。
【００３３】
かかる洗浄液の量は、第１吸引ポンプ６４Ａを駆動する所定の時間、即ち第１モータ６６Ａを駆動する所定の時間によって調整することができる。所定の時間は、例えば予め実験的に算出して制御装置７０に記憶しておく。洗浄液を流入させる速度は洗浄液を抜き取る速度に比べて一般的に遅いが、この洗浄液を流入させる速度は調整することが可能である。具体的には、第１インク経路４２Ａ〜第４インク経路４２Ｄに一定量の洗浄液を流入するとき、所定量の洗浄液を流入させた後、カートリッジ９０Ｂを取り外して所定量の空気を流入させ、さらに、カートリッジ９０Ｂを接続して所定量の洗浄液を流入させるという処理を複数回繰り返す。この場合、洗浄液は空気よりも早い速度で第１インク経路４２Ａ〜第４インク経路４２Ｄに流入するため、この洗浄液を入れる速度を遅くすることで、洗浄液を抜く速度と洗浄液を入れる速度とをほぼ同じに調整することができ、洗浄液の流入作業と抜き取り作業とを効率よく同時に進行させることができる。なお、ステップＳ３０では、少なくとも第１吸引ポンプ６４Ａを駆動すればよい。
【００３４】
次に、ステップＳ４０において、第１吸引ポンプ６４Ａおよび第２吸引ポンプ６４Ｂを停止した状態で、第１インク経路４２Ａに接続されていたカートリッジ９０Ｂを第２インク経路４２Ｂに接続する（図４Ｃ参照）。
【００３５】
次に、ステップＳ５０において、第１メイン開閉機構４５Ａおよび第２メイン開閉機構４５Ｂを開状態とすると共に、第３メイン開閉機構４５Ｃおよび第４メイン開閉機構４５Ｄを閉状態とする。
【００３６】
次に、ステップＳ６０において、第１吸引ポンプ６４Ａおよび第２吸引装置６２Ｂの第２吸引ポンプ６４Ｂを上記所定の時間だけ駆動する。これにより、図４Ｃの矢印Ｘの示す方向に第１インク経路４２Ａから洗浄液９２が抜き取られて洗浄液９２が廃液タンク（図示せず）に送られると共に、カートリッジ９０Ｂから一定量の洗浄液が第２インク経路４２Ｂに流入する。本実施形態では、洗浄液を第１インク経路４２Ａ〜第４インク経路４２Ｄに流入させるのに要する時間は、第１インク経路４２Ａ〜第４インク経路４２Ｄから洗浄液を抜き取るのに要する時間より長いため、第１インク経路４２Ａでは、洗浄液９２が抜き取られた後空気が流れる。上記所定の時間が経過した後、第１吸引ポンプ６４Ａおよび第２吸引ポンプ６４Ｂを停止する。
【００３７】
次に、ステップＳ７０において、第１吸引ポンプ６４Ａおよび第２吸引ポンプ６４Ｂを停止した状態で、第２インク経路４２Ｂに接続されていたカートリッジ９０Ｂを第３インク経路４２Ｃに接続する（図４Ｄ参照）。
【００３８】
次に、ステップＳ８０において、第２メイン開閉機構４５Ｂおよび第３メイン開閉機構４５Ｃを開状態とすると共に、第１メイン開閉機構４５Ａおよび第４メイン開閉機構４５Ｄを閉状態とする。
【００３９】
次に、ステップＳ９０において、第１吸引ポンプ６４Ａおよび第２吸引ポンプ６４Ｂを上記所定の時間だけ駆動する。これにより、図４Ｄの矢印Ｘの示す方向に第２インク経路４２Ｂから洗浄液９２が抜き取られて洗浄液９２が廃液タンク（図示せず）に送られると共に、カートリッジ９０Ｂから一定量の洗浄液が第３インク経路４２Ｃに流入する。上記所定の時間が経過した後、第１吸引ポンプ６４Ａおよび第２吸引ポンプ６４Ｂを停止する。
【００４０】
次に、ステップＳ１００において、第１吸引ポンプ６４Ａおよび第２吸引ポンプ６４Ｂを停止した状態で、第３インク経路４２Ｃに接続されていたカートリッジ９０Ｂを第４インク経路４２Ｄに接続する（図４Ｅ参照）。
【００４１】
次に、ステップＳ１１０において、第３メイン開閉機構４５Ｃおよび第４メイン開閉機構４５Ｄを開状態とすると共に、第１メイン開閉機構４５Ａおよび第２メイン開閉機構４５Ｂを閉状態とする。
【００４２】
次に、ステップＳ１２０において、第１吸引ポンプ６４Ａおよび第２吸引ポンプ６４Ｂを上記所定の時間だけ駆動する。これにより、図４Ｅの矢印Ｘの示す方向に第３インク経路４２Ｃから洗浄液９２が抜き取られて洗浄液９２が廃液タンク（図示せず）に送られると共に、カートリッジ９０Ｂから一定量の洗浄液が第４インク経路４２Ｄに流入する。上記所定の時間が経過した後、第１吸引ポンプ６４Ａおよび第２吸引ポンプ６４Ｂを停止する。
【００４３】
次に、ステップＳ１３０において、第１吸引ポンプ６４Ａおよび第２吸引ポンプ６４Ｂを停止した状態で、第４インク経路４２Ｄに接続されていたカートリッジ９０Ｂを取り外す（図４Ｆ参照）。
【００４４】
次に、ステップＳ１４０において、少なくとも第４メイン開閉機構４５Ｄを開状態とすると共に、第２メイン開閉機構４５Ｂを閉状態とする。
【００４５】
次に、ステップＳ１５０において、少なくとも第２吸引ポンプ６４Ｂを上記所定の時間だけ駆動する。これにより、図４Ｆの矢印Ｘの示す方向に第４インク経路４２Ｄから洗浄液９２が抜き取られて洗浄液９２が廃液タンク（図示せず）に送られる。上記所定の時間が経過した後、第２吸引ポンプ６４Ｂを停止する。以上の処理により、インク経路４０の第１インク経路４２Ａ〜第４インク経路４２Ｄを洗浄することができる。
【００４６】
ここで、図５に示すように、制御装置７０は、第１制御部７１と、第２制御部７２と、第３制御部７３と、第４制御部７４と、第５制御部７５とを備えている。制御装置７０は、ステップＳ１０〜ステップＳ３０を実行するときに第１制御部７１として機能し、ステップＳ４０〜ステップＳ６０を実行するときに第２制御部７２として機能し、ステップＳ７０〜ステップＳ９０を実行するときに第３制御部７３として機能し、ステップＳ１００〜ステップＳ１２０を実行するときに第４制御部７４として機能し、ステップＳ１３０〜ステップＳ１５０を実行するときに第５制御部７５として機能する。
【００４７】
以上のように、本実施形態のインクジェットプリンタ１０によると、第１インク経路４２Ａにカートリッジ９０Ｂが接続され、かつ、第２インク経路４２Ｂにカートリッジ９０Ｂが接続されていないときに、第１制御部７１は、少なくとも第１吸引装置６２Ａを駆動する第１の運転を行う。これにより、第１インク経路４２Ａには、洗浄液９２が流入される。そして、第１の運転の後、第２インク経路４２Ｂにカートリッジ９０Ｂが接続され、かつ、第１インク経路４２Ａにカートリッジ９０Ｂが接続されていないときに、第２制御部７２は、第１吸引装置６２Ａおよび第２吸引装置６２Ｂを駆動する第２の運転を行う。これにより、第１インク経路４２Ａ内に流入された洗浄液９２は、第１吸引装置６２Ａによって第１インク経路４２Ａから抜き取られる。これと同時に、第２インク経路４２Ｂには、洗浄液９２が流入される。このように、第１インク経路４２Ａからの洗浄液の抜き取りと、第２インク経路４２Ｂへの洗浄液の流入が同時に行われるため、これらを独立して行う場合と比較して時間を短縮することができる。また、第１インク経路４２Ａおよび第２インク経路４２Ｂに同時に洗浄液を流入させないため、カートリッジ９０Ｂは１つあれば足り、洗浄液の無駄を低減することができる。
【００４８】
本実施形態のインクジェットプリンタ１０では、第１インク経路４２Ａからの洗浄液の抜き取りと第２インク経路４２Ｂへの洗浄液の流入とが同時に行われ、第２インク経路４２Ｂからの洗浄液の抜き取りと第３インク経路４２Ｃへの洗浄液の流入とが同時に行われ、第３インク経路４２Ｃからの洗浄液の抜き取りと第４インク経路４２Ｄへの洗浄液の流入とが同時に行われるため、これらを独立して行う場合と比較して時間を短縮することができる。また、第１インク経路４２Ａ〜第４インク経路４２Ｄに同時に洗浄液を流入させないため、カートリッジ９０Ｂは１つあれば足り、洗浄液の無駄を低減することができる。
【００４９】
本実施形態のインクジェットプリンタ１０は、第１吸引装置６２Ａおよび第２吸引装置６２Ｂを駆動する第１モータ６６Ａを備えている。このため、構造が簡単となると共に、第１吸引装置６２Ａおよび第２吸引装置６２Ｂの制御が容易となる。
【００５０】
＜第２実施形態＞
図６は、第２実施形態に係るインクジェットプリンタ１０のインク経路４０の概略構成を示す説明図である。図６に示すように、インクジェットヘッド２５（図１参照）は、第３インクヘッド３０Ｃと、第４インクヘッド３０Ｄとをさらに備えている。
【００５１】
図６に示すように、インク経路４０は、第５インク経路４２Ｅと、第６インク経路４２Ｆと、第７インク経路４２Ｇと、第８インク経路４２Ｈとをさらに備えている。第５インク経路４２Ｅ〜第８インク経路４２Ｈは、チューブである。第５インク経路４２Ｅは、カートリッジ９０Ａまたはカートリッジ９０Ｂが接続可能な第５上流端部４３Ｅと、第３インクヘッド３０Ｃに連通した第５下流端部４４Ｅとを有している。第６インク経路４２Ｆは、カートリッジ９０Ａ（カートリッジ９０Ｂ）が接続可能な第６上流端部４３Ｆと、第４インクヘッド３０Ｄに連通した第６下流端部４４Ｆとを有している。第７インク経路４２Ｇは、カートリッジ９０Ａ（カートリッジ９０Ｂ）が接続可能な第７上流端部４３Ｇと、第３インクヘッド３０Ｃに連通した第７下流端部４４Ｇとを有している。第８インク経路４２Ｈは、カートリッジ９０Ａ（カートリッジ９０Ｂ）が接続可能な第８上流端部４３Ｈと、第４インクヘッド３０Ｄに連通した第８下流端部４４Ｈとを有している。
【００５２】
図６に示すように、インク経路４０は、第５メイン開閉機構４５Ｅと、第６メイン開閉機構４５Ｆと、第７メイン開閉機構４５Ｇと、第８メイン開閉機構４５Ｈとを備えている。第５メイン開閉機構４５Ｅ〜第８メイン開閉機構４５Ｈには、制御装置７０が接続されている。第５メイン開閉機構４５Ｅ〜第８メイン開閉機構４５Ｈの開閉状態は、制御装置７０に制御される。第５メイン開閉機構４５Ｅは、第５インク経路４２Ｅのうち第５上流端部４３Ｅと第５下流端部４４Ｅとの間に設けられている。第５メイン開閉機構４５Ｅは、第５インク経路４２Ｅを開閉する。第６メイン開閉機構４５Ｆは、第６インク経路４２Ｆのうち第６上流端部４３Ｆと第６下流端部４４Ｆとの間に設けられている。第６メイン開閉機構４５Ｆは、第６インク経路４２Ｆを開閉する。第７メイン開閉機構４５Ｇは、第７インク経路４２Ｇのうち第７上流端部４３Ｇと第７下流端部４４Ｇとの間に設けられている。第７メイン開閉機構４５Ｇは、第７インク経路４２Ｇを開閉する。第８メイン開閉機構４５Ｈは、第８インク経路４２Ｈのうち第８上流端部４３Ｈと第８下流端部４４Ｈとの間に設けられている。第８メイン開閉機構４５Ｈは、第８インク経路４２Ｈを開閉する。第５メイン開閉機構４５Ｅ〜第８メイン開閉機構４５Ｈは、第１メイン開閉機構４５Ａ〜第４メイン開閉機構４５Ｄと同様の構成である。
【００５３】
図６に示すように、吸引装置６０は、第３吸引装置６２Ｃと、第４吸引装置６２Ｄとをさらに備えている。第３吸引装置６２Ｃは、第３インクヘッド３０Ｃに取り付けられる。第３吸引装置６２Ｃは、第３インクヘッド３０Ｃから第５インク経路４２Ｅおよび第７インク経路４２Ｇの内部の流体を吸引する。第３吸引装置６２Ｃは、第３インクヘッド３０Ｃのノズルが形成されたノズル面３１Ｃを覆うキャップ６３Ｃと、第３吸引ポンプ６４Ｃと、チューブ６５Ｃとを備えている。第４吸引装置６２Ｄは、第４インクヘッド３０Ｄに取り付けられる。第４吸引装置６２Ｄは、第４インクヘッド３０Ｄから第６インク経路４２Ｆおよび第８インク経路４２Ｈの内部の流体を吸引する。第４吸引装置６２Ｄは、第４インクヘッド３０Ｄのノズルが形成されたノズル面３１Ｄを覆うキャップ６３Ｄと、第４吸引ポンプ６４Ｄと、チューブ６５Ｄとを備えている。チューブ６５Ｃおよびチューブ６５Ｄは、廃液タンク（図示せず）に接続されている。第３吸引装置６２Ｃおよび第４吸引装置６２Ｄは、制御装置７０によってその起動および停止が制御される。第３吸引ポンプ６４Ｃおよび第４吸引ポンプ６４Ｄは、制御装置７０に接続されている。第３吸引ポンプ６４Ｃおよび第４吸引ポンプ６４Ｄの起動および停止は、制御装置７０に制御される。
【００５４】
図６に示すように、吸引装置６０は、第２モータ６６Ｂを備えている。第２モータ６６Ｂは、第３吸引装置６２Ｃおよび第４吸引装置６２Ｄを駆動する。本実施形態では、第２モータ６６Ｂは、第３吸引ポンプ６４Ｃおよび第４吸引ポンプ６４Ｄに接続されている。このため、第３吸引ポンプ６４Ｃおよび第４吸引ポンプ６４Ｄの出力は、互いに同じとなる。第２モータ６６Ｂは、制御装置７０に接続されている。第２モータ６６Ｂの起動および停止は、制御装置７０に制御される。第２モータ６６Ｂの回転速度と、第１モータ６６Ａの回転速度は同じである。なお、第３吸引ポンプ６４Ｃを駆動するモータおよび第４吸引ポンプ６４Ｄを駆動するモータをそれぞれ設けてもよい。
【００５５】
以下、インク経路を洗浄する方法を具体的に説明する。図７は、第２実施形態に係るインク経路の洗浄処理（第２の洗浄処理）の手順を示すフローチャートである。また、図８Ａ〜図８Ｆは、第２の洗浄処理に係るインク経路の洗浄状態を示す説明図である。図８Ａ〜図８Ｆにおいて、矢印Ｘは、洗浄液の流れを示している。また、図８Ａ〜図８Ｆの第１メイン開閉機構４５Ａ〜第８メイン開閉機構４５Ｈにおいて、「×」は、閉じた状態を示している。
【００５６】
図８Ａに示すように、第２の洗浄処理の開始時には、第１インク経路４２Ａ〜第８インク経路４２Ｈには、洗浄液を貯留するカートリッジ９０Ｂは接続されていない。
【００５７】
第２の洗浄処理では、まず、ステップＳ２１０において、第１インク経路４２Ａおよび第６インク経路４２Ｆにカートリッジ９０Ｂをそれぞれ接続する（図８Ｂ参照）。
【００５８】
次に、ステップＳ２２０において、少なくとも第１メイン開閉機構４５Ａおよび第６メイン開閉機構４５Ｆを開状態とすると共に、第３メイン開閉機構４５Ｃおよび第８メイン開閉機構４５Ｈを閉状態とする。
【００５９】
次に、ステップＳ２３０において、少なくとも第１吸引ポンプ６４Ａおよび第４吸引ポンプ６４Ｄを所定の時間だけ駆動する。即ち、第１モータ６６Ａおよび第２モータ６６Ｂを所定の時間だけ駆動する。第２モータ６６Ｂは、第３吸引ポンプ６４Ｃおよび第４吸引ポンプ６４Ｄに接続されているため、第２モータ６６Ｂを駆動すると、第３吸引ポンプ６４Ｃおよび第４吸引ポンプ６４Ｄが駆動される。これにより、各カートリッジ９０Ｂから一定量の洗浄液が第１インク経路４２Ａおよび第６インク経路４２Ｆに流入する。所定の時間が経過した後、第１吸引ポンプ６４Ａおよび第４吸引ポンプ６４Ｄを停止する。
【００６０】
次に、ステップＳ２４０において、第１吸引ポンプ６４Ａ〜第４吸引ポンプ６４Ｄを停止した状態で、第１インク経路４２Ａに接続されていたカートリッジ９０Ｂを第２インク経路４２Ｂに接続し、第６インク経路４２Ｆに接続されていたカートリッジ９０Ｂを第５インク経路４２Ｅに接続する（図８Ｃ参照）。
【００６１】
次に、ステップＳ２５０において、第１メイン開閉機構４５Ａ、第２メイン開閉機構４５Ｂ、第５メイン開閉機構４５Ｅおよび第６メイン開閉機構４５Ｆを開状態とすると共に、第３メイン開閉機構４５Ｃ、第４メイン開閉機構４５Ｄ、第７メイン開閉機構４５Ｇおよび第８メイン開閉機構４５Ｈを閉状態とする。
【００６２】
次に、ステップＳ２６０において、第１吸引ポンプ６４Ａ〜第４吸引ポンプ６４Ｄを上記所定の時間だけ駆動する。即ち、第１モータ６６Ａおよび第２モータ６６Ｂを上記所定の時間だけ駆動する。これにより、図８Ｃの矢印Ｘの示す方向に第１インク経路４２Ａおよび第６インク経路４２Ｆから洗浄液９２が抜き取られて洗浄液９２が廃液タンク（図示せず）に送られると共に、カートリッジ９０Ｂから一定量の洗浄液が第２インク経路４２Ｂおよび第５インク経路４２Ｅに流入する。上記所定の時間が経過した後、第１吸引ポンプ６４Ａ〜第４吸引ポンプ６４Ｄを停止する。
【００６３】
次に、ステップＳ２７０において、第１吸引ポンプ６４Ａ〜第４吸引ポンプ６４Ｄを停止した状態で、第２インク経路４２Ｂに接続されていたカートリッジ９０Ｂを第３インク経路４２Ｃに接続し、第５インク経路４２Ｅに接続されていたカートリッジ９０Ｂを第８インク経路４２Ｈに接続する（図８Ｄ参照）。
【００６４】
次に、ステップＳ２８０において、第２メイン開閉機構４５Ｂ、第３メイン開閉機構４５Ｃ、第５メイン開閉機構４５Ｅおよび第８メイン開閉機構４５Ｈを開状態とすると共に、第１メイン開閉機構４５Ａ、第４メイン開閉機構４５Ｄ、第６メイン開閉機構４５Ｆおよび第７メイン開閉機構４５Ｇを閉状態とする。
【００６５】
次に、ステップＳ２９０において、第１吸引ポンプ６４Ａ〜第４吸引ポンプ６４Ｄを上記所定の時間だけ駆動する。これにより、図８Ｄの矢印Ｘの示す方向に第２インク経路４２Ｂおよび第５インク経路４２Ｅから洗浄液９２が抜き取られて洗浄液９２が廃液タンク（図示せず）に送られると共に、カートリッジ９０Ｂから一定量の洗浄液が第３インク経路４２Ｃおよび第８インク経路４２Ｈに流入する。上記所定の時間が経過した後、第１吸引ポンプ６４Ａ〜第４吸引ポンプ６４Ｄを停止する。
【００６６】
次に、ステップＳ３００において、第１吸引ポンプ６４Ａ〜第４吸引ポンプ６４Ｄを停止した状態で、第３インク経路４２Ｃに接続されていたカートリッジ９０Ｂを第４インク経路４２Ｄに接続し、第８インク経路４２Ｈに接続されていたカートリッジ９０Ｂを第７インク経路４２Ｇに接続する（図８Ｅ参照）。
【００６７】
次に、ステップＳ３１０において、第３メイン開閉機構４５Ｃ、第４メイン開閉機構４５Ｄ、第７メイン開閉機構４５Ｇおよび第８メイン開閉機構４５Ｈを開状態とすると共に、第１メイン開閉機構４５Ａ、第２メイン開閉機構４５Ｂ、第５メイン開閉機構４５Ｅおよび第６メイン開閉機構４５Ｆを閉状態とする。
【００６８】
次に、ステップＳ３２０において、第１吸引ポンプ６４Ａ〜第４吸引ポンプ６４Ｄを上記所定の時間だけ駆動する。これにより、図８Ｅの矢印Ｘの示す方向に第３インク経路４２Ｃおよび第８インク経路４２Ｈから洗浄液９２が抜き取られて洗浄液９２が廃液タンク（図示せず）に送られると共に、カートリッジ９０Ｂから一定量の洗浄液が第４インク経路４２Ｄおよび第７インク経路４２Ｇに流入する。上記所定の時間が経過した後、第１吸引ポンプ６４Ａ〜第４吸引ポンプ６４Ｄを停止する。
【００６９】
次に、ステップＳ３３０において、第１吸引ポンプ６４Ａ〜第４吸引ポンプ６４Ｄを停止した状態で、第４インク経路４２Ｄおよび第７インク経路４２Ｇに接続されていたカートリッジ９０Ｂをそれぞれ取り外す（図８Ｆ参照）。
【００７０】
次に、ステップＳ３４０において、少なくとも第４メイン開閉機構４５Ｄおよび第７メイン開閉機構４５Ｇを開状態とすると共に、第２メイン開閉機構４５Ｂおよび第５メイン開閉機構４５Ｅを閉状態とする。
【００７１】
次に、ステップＳ３５０において、少なくとも第２吸引ポンプ６４Ｂおよび第３吸引ポンプ６４Ｃを上記所定の時間だけ駆動する。即ち、第１モータ６６Ａおよび第２モータ６６Ｂを上記所定の時間だけ駆動する。これにより、図８Ｆの矢印Ｘの示す方向に第４インク経路４２Ｄおよび第７インク経路４２Ｇから洗浄液９２が抜き取られて洗浄液９２が廃液タンク（図示せず）に送られる。上記所定の時間が経過した後、第２吸引ポンプ６４Ｂおよび第３吸引ポンプ６４Ｃを停止する。以上の処理により、インク経路４０の第１インク経路４２Ａ〜第８インク経路４２Ｈを洗浄することができる。
【００７２】
制御装置７０（図５参照）は、ステップＳ２１０〜ステップＳ２３０を実行するときに第１制御部７１として機能し、ステップＳ２４０〜ステップＳ２６０を実行するときに第２制御部７２として機能し、ステップＳ２７０〜ステップＳ２９０を実行するときに第３制御部７３として機能し、ステップＳ３００〜ステップＳ３２０を実行するときに第４制御部７４として機能し、ステップＳ３３０〜ステップＳ３５０を実行するときに第５制御部７５として機能する。
【００７３】
本実施形態のインクジェットプリンタ１０では、第１インク経路４２Ａおよび第６インク経路４２Ｆからの洗浄液の抜き取りと第２インク経路４２Ｂおよび第５インク経路４２Ｅへの洗浄液の流入とが同時に行われ、第２インク経路４２Ｂおよび第５インク経路４２Ｅからの洗浄液の抜き取りと第３インク経路４２Ｃおよび第８インク経路４２Ｈへの洗浄液の流入とが同時に行われ、第３インク経路４２Ｃおよび第８インク経路４２Ｈからの洗浄液の抜き取りと第４インク経路４２Ｄおよび第７インク経路４２Ｇへの洗浄液の流入とが同時に行われるため、これらを独立して行う場合と比較して時間を短縮することができる。また、第１インク経路４２Ａ〜第４インク経路４２Ｄに同時に洗浄液を流入させず、かつ、第５インク経路４２Ｅ〜第８インク経路４２Ｈに同時に洗浄液を流入させないため、カートリッジ９０Ｂは２つあれば足り、洗浄液の無駄を低減することができる。
【００７４】
本実施形態のインクジェットプリンタ１０は、第３吸引装置６２Ｃおよび第４吸引装置６２Ｄを駆動する第２モータ６６Ｂを備えている。このため、構造が簡単となると共に、第３吸引装置６２Ｃおよび第４吸引装置６２Ｄの制御が容易となる。
【００７５】
＜第３実施形態＞
図９に示すように、インク経路４０は、第６サブ開閉機構４６Ｆと、第８サブ開閉機構４６Ｈとを備えている。第６サブ開閉機構４６Ｆおよび第８サブ開閉機構４６Ｈには、制御装置７０が接続されている。第６サブ開閉機構４６Ｆおよび第８サブ開閉機構４６Ｈの開閉状態は、制御装置７０に制御される。第６サブ開閉機構４６Ｆは、第６インク経路４２Ｆのうち第６メイン開閉機構４５Ｆと第６下流端部４４Ｆとの間に設けられている。第６サブ開閉機構４６Ｆは、第６インク経路４２Ｆを開閉する。第８サブ開閉機構４６Ｈは、第８インク経路４２Ｈのうち第８メイン開閉機構４５Ｈと第８下流端部４４Ｈとの間に設けられている。第８サブ開閉機構４６Ｈは、第８インク経路４２Ｈを開閉する。第６サブ開閉機構４６Ｆおよび第８サブ開閉機構４６Ｈは、第６メイン開閉機構４５Ｆおよび第８メイン開閉機構４５Ｈと同様の構成である。
【００７６】
図９に示すように、インク経路４０は、第６バイパスインク経路４７Ｆと、第８バイパスインク経路４７Ｈとを備えている。第６バイパスインク経路４７Ｆは、第６インク経路４２Ｆにおける第６サブ開閉機構４６Ｆの上流部分と下流部分とを連通する。第８バイパスインク経路４７Ｈは、第８インク経路４２Ｈにおける第８サブ開閉機構４６Ｈの上流部分と下流部分とを連通する。
【００７７】
図９に示すように、インク経路４０は、第６バイパス開閉機構４８Ｆと、第８バイパス開閉機構４８Ｈとを備えている。第６バイパス開閉機構４８Ｆおよび第８バイパス開閉機構４８Ｈには、制御装置７０が接続されている。第６バイパス開閉機構４８Ｆおよび第８バイパス開閉機構４８Ｈの開閉状態は、制御装置７０に制御される。第６バイパス開閉機構４８Ｆは、第６バイパスインク経路４７Ｆに設けられている。第６バイパス開閉機構４８Ｆは、第６バイパスインク経路４７Ｆを開閉する。８バイパス開閉機構４８Ｈは、第８バイパスインク経路４７Ｈに設けられている。第８バイパス開閉機構４８Ｈは、第８バイパスインク経路４７Ｈを開閉する。６バイパス開閉機構４８Ｆおよび第８バイパス開閉機構４８Ｈは、第６メイン開閉機構４５Ｆおよび第８メイン開閉機構４５Ｈと同様の構成である。
【００７８】
第６メイン開閉機構４５Ｆが閉状態であり、かつ、第６サブ開閉機構４６Ｆおよび第６バイパス開閉機構４８Ｆが開状態のとき、第６インク経路４２Ｆ、第６バイパスインク経路４７Ｆおよびインクヘッド３０Ｄ内を流体が循環する。同様に、第８メイン開閉機構４５Ｈが閉状態であり、かつ、第８サブ開閉機構４６Ｈおよび第８バイパス開閉機構４８Ｈが開状態のとき、第８インク経路４２Ｈ、第８バイパスインク経路４７Ｈおよびインクヘッド３０Ｄ内を流体が循環する。
【００７９】
以下、インク経路を洗浄する方法を具体的に説明する。図１０Ａおよび図１０Ｂは、第３実施形態に係るインク経路の洗浄処理（第３の洗浄処理）の手順を示すフローチャートである。また、図１１Ａ〜図１１Ｉは、第３の洗浄処理に係るインク経路の洗浄状態を示す説明図である。図１１Ａ〜図１１Ｉにおいて、矢印Ｘは、洗浄液の流れを示している。また、図１１Ａ〜図１１Ｉの第１メイン開閉機構４５Ａ〜第８メイン開閉機構４５Ｈ、第６サブ開閉機構４６Ｆ、第８サブ開閉機構４６Ｈ、第６バイパス開閉機構４８Ｆおよび第８バイパス開閉機構４８Ｈにおいて、「×」は、閉じた状態を示している。なお、ステップＳ４１０〜ステップＳ５５０のうち、第１インク経路４２Ａ、第２インク経路４２Ｂ、第３インク経路４２Ｃ、第４インク経路４２Ｄ、第５インク経路４２Ｅおよび第７インク経路４２Ｇについての処理は、上述した第２実施形態の第２の洗浄処理のステップＳ２１０〜Ｓ３５０における処理と同様であるため、その説明を一部省略する。
【００８０】
図１１Ａに示すように、第３の洗浄処理の開始時には、第１インク経路４２Ａ〜第８インク経路４２Ｈには、洗浄液を貯留するカートリッジ９０Ｂは接続されていない。
【００８１】
第３の洗浄処理では、まず、ステップＳ４１０において、第６インク経路４２Ｆにカートリッジ９０Ｂを接続する（図１１Ｂ参照）。なお、第１インク経路４２Ａについても同様であるが、上述した通り説明を省略する。
【００８２】
次に、ステップＳ４２０において、第６メイン開閉機構４５Ｆおよび第６バイパス開閉機構４８Ｆを開状態とすると共に、第６サブ開閉機構４６Ｆおよび第８メイン開閉機構４５Ｈを閉状態とする。
【００８３】
次に、ステップＳ４３０において、第４吸引ポンプ６４Ｄを所定の時間だけ駆動する。これにより、カートリッジ９０Ｂから一定量の洗浄液が第６バイパスインク経路４７Ｆに流入する。所定の時間が経過した後、第４吸引ポンプ６４Ｄを停止する。なお、上述した通り、第１インク経路４２Ａにも一定量の洗浄液９２が流入する。
【００８４】
次に、ステップＳ４４０において、第４吸引ポンプ６４Ｄを停止した状態で、第６インク経路４２Ｆに接続されていたカートリッジ９０Ｂを第５インク経路４２Ｅに接続する（図１１Ｃ参照）。なお、第２インク経路４２Ｂについても同様であるが、上述した通り説明を省略する。
【００８５】
次に、ステップＳ４５０において、第６メイン開閉機構４５Ｆおよび第６バイパス開閉機構４８Ｆを開状態とすると共に、第６サブ開閉機構４６Ｆおよび第８メイン開閉機構４５Ｈを閉状態とする。
【００８６】
次に、ステップＳ４６０において、第４吸引ポンプ６４Ｄを上記所定の時間だけ駆動する。これにより、図１１Ｃの矢印Ｘの示す方向に第６バイパスインク経路４７Ｆから洗浄液９２が抜き取られて洗浄液９２が廃液タンク（図示せず）に送られる。上記所定の時間が経過した後、第４吸引ポンプ６４Ｄを停止する。なお、上述した通り、第２インク経路４２Ｂおよび第５インク経路４２Ｅに一定量の洗浄液９２が流入し、第１インク経路４２Ａから洗浄液９２が抜き取られる。
【００８７】
次に、ステップＳ４７０において、第４吸引ポンプ６４Ｄを停止した状態で、第５インク経路４２Ｅに接続されていたカートリッジ９０Ｂを第８インク経路４２Ｈに接続する（図１１Ｄ参照）。なお、第３インク経路４２Ｃについても同様であるが、上述した通り説明を省略する。
【００８８】
次に、ステップＳ４８０において、第８メイン開閉機構４５Ｈおよび第８バイパス開閉機構４８Ｈを開状態とすると共に、第８サブ開閉機構４６Ｈおよび第６メイン開閉機構４５Ｆを閉状態とする。
【００８９】
次に、ステップＳ４９０において、第４吸引ポンプ６４Ｄを上記所定の時間だけ駆動する。これにより、カートリッジ９０Ｂから一定量の洗浄液が第８バイパスインク経路４７Ｈに流入する。上記所定の時間が経過した後、第４吸引ポンプ６４Ｄを停止する。なお、上述した通り、第３インク経路４２Ｃにも一定量の洗浄液９２が流入する。
【００９０】
次に、ステップＳ５００において、第４吸引ポンプ６４Ｄを停止した状態で、第８インク経路４２Ｈに接続されていたカートリッジ９０Ｂを第７インク経路４２Ｇに接続する（図１１Ｅ参照）。なお、第４インク経路４２Ｄについても同様であるが、上述した通り説明を省略する。
【００９１】
次に、ステップＳ５１０において、第８メイン開閉機構４５Ｈおよび第８バイパス開閉機構４８Ｈを開状態とすると共に、第８サブ開閉機構４６Ｈおよび第６メイン開閉機構４５Ｆを閉状態とする。
【００９２】
次に、ステップＳ５２０において、第４吸引ポンプ６４Ｄを上記所定の時間だけ駆動する。これにより、図１１Ｅの矢印Ｘの示す方向に第８バイパスインク経路４７Ｈから洗浄液９２が抜き取られて洗浄液９２が廃液タンク（図示せず）に送られる。上記所定の時間が経過した後、第４吸引ポンプ６４Ｄを停止する。なお、上述した通り、第４インク経路４２Ｄおよび第７インク経路４２Ｇに一定量の洗浄液９２が流入し、第３インク経路４２Ｃから洗浄液９２が抜き取られる。
【００９３】
次に、ステップＳ５３０において、第４吸引ポンプ６４Ｄを停止した状態で、カートリッジ９０Ｂを第６インク経路４２Ｆに接続する（図１１Ｆ参照）。
【００９４】
次に、ステップＳ５４０において、第６メイン開閉機構４５Ｆおよび第６サブ開閉機構４６Ｆを開状態とすると共に、第６バイパス開閉機構４８Ｆおよび第８メイン開閉機構４５Ｈを閉状態とする。
【００９５】
次に、ステップＳ５５０において、第４吸引ポンプ６４Ｄを上記所定の時間だけ駆動する。これにより、カートリッジ９０Ｂから一定量の洗浄液が第６インク経路４２Ｆに流入する。所定の時間が経過した後、第４吸引ポンプ６４Ｄを停止する。
【００９６】
次に、ステップＳ５６０において、第４吸引ポンプ６４Ｄを停止した状態で、第６インク経路４２Ｆからカートリッジ９０Ｂを取り外す（図１１Ｇ参照）。
【００９７】
次に、ステップＳ５７０において、第４吸引ポンプ６４Ｄを上記所定の時間だけ駆動する。これにより、図１１Ｇの矢印Ｘの示す方向に第６インク経路４２Ｆから洗浄液９２が抜き取られて洗浄液９２が廃液タンク（図示せず）に送られる。所定の時間が経過した後、第４吸引ポンプ６４Ｄを停止する。
【００９８】
次に、ステップＳ５８０において、第４吸引ポンプ６４Ｄを停止した状態で、カートリッジ９０Ｂを第８インク経路４２Ｈに接続する（図１１Ｈ参照）。
【００９９】
次に、ステップＳ５９０において、第８メイン開閉機構４５Ｈおよび第８サブ開閉機構４６Ｈを開状態とすると共に、第８バイパス開閉機構４８Ｈおよび第６メイン開閉機構４５Ｆを閉状態とする。
【０１００】
次に、ステップＳ６００において、第４吸引ポンプ６４Ｄを上記所定の時間だけ駆動する。これにより、カートリッジ９０Ｂから一定量の洗浄液が第８インク経路４２Ｈに流入する。所定の時間が経過した後、第４吸引ポンプ６４Ｄを停止する。
【０１０１】
次に、ステップＳ６１０において、第４吸引ポンプ６４Ｄを停止した状態で、第８インク経路４２Ｈからカートリッジ９０Ｂを取り外す（図１１Ｉ参照）。
【０１０２】
次に、ステップＳ６２０において、第４吸引ポンプ６４Ｄを上記所定の時間だけ駆動する。これにより、図１１Ｉの矢印Ｘの示す方向に第８インク経路４２Ｈから洗浄液９２が抜き取られて洗浄液９２が廃液タンク（図示せず）に送られる。所定の時間が経過した後、第４吸引ポンプ６４Ｄを停止する。以上の処理により、インク経路４０の第１インク経路４２Ａ〜第８インク経路４２Ｈ、並びに、第６バイパスインク経路４７Ｆおよび第８バイパスインク経路４７Ｈを洗浄することができる。なお、ステップＳ５６０〜ステップＳ６２０において、第１メイン開閉機構４５Ａ〜第５メイン開閉機構４５Ｅおよび第７メイン開閉機構４５Ｇの開閉状態は任意であり、また、第１吸引ポンプ６４Ａおよび第２吸引ポンプ６４Ｂは駆動してもよいし、駆動しなくてもよい。
【０１０３】
ここで、図１２に示すように、制御装置７０は、第６制御部７６と、第７制御部７７と、第８制御部７８とをさらに備えている。制御装置７０は、ステップＳ４１０〜ステップＳ４３０を実行するときに第１制御部７１として機能し、ステップＳ４４０〜ステップＳ４６０を実行するときに第２制御部７２として機能し、ステップＳ４７０〜ステップＳ４９０を実行するときに第３制御部７３として機能し、ステップＳ５００〜ステップＳ５２０を実行するときに第４制御部７４として機能し、ステップＳ５３０〜ステップＳ５５０を実行するときに第５制御部７５として機能し、ステップＳ５６０〜ステップＳ５７０を実行するときに第６制御部７６として機能し、ステップＳ５８０〜ステップＳ６００を実行するときに第７制御部７７として機能し、ステップＳ６１０〜ステップＳ６２０を実行するときに第８制御部７８として機能する。
【０１０４】
本実施形態のインクジェットプリンタ１０では、第１インク経路４２Ａおよび第６バイパスインク経路４７Ｆからの洗浄液の抜き取りと第２インク経路４２Ｂおよび第５インク経路４２Ｅへの洗浄液の流入とが同時に行われ、第２インク経路４２Ｂおよび第５インク経路４２Ｅからの洗浄液の抜き取りと第３インク経路４２Ｃおよび第８バイパスインク経路４７Ｈへの洗浄液の流入とが同時に行われ、第３インク経路４２Ｃおよび第８バイパスインク経路４７Ｈからの洗浄液の抜き取りと第４インク経路４２Ｄおよび第７インク経路４２Ｇへの洗浄液の流入とが同時に行われるため、これらを独立して行う場合と比較して時間を短縮することができる。さらに、第６インク経路４２Ｆにおいて第６バイパスインク経路４７Ｆを先に洗浄し、第８インク経路４２Ｈにおいて第８バイパスインク経路４７Ｈを先に洗浄しているため、第６サブ開閉機構４６Ｆおよび第８サブ開閉機構４６Ｈの上流部分に洗浄液が残存することを抑制することができる。なお、本実施形態のように、バイパスインク経路を含むインク経路と、バイパスインク経路を含まないインク経路とが併存するときは、バイパスインク経路を含むインク経路を先に洗浄するとよい。
【０１０５】
＜第４実施形態＞
図１３は、第４実施形態に係るインク経路の洗浄処理（第４の洗浄処理）の手順の一部を示すフローチャートである。ステップＳ７３０の前には、上述した第３実施形態の第３の洗浄処理のステップＳ４１０〜ステップＳ５２０が行われる。即ち、本実施形態では、ステップＳ５２０の次にステップＳ７３０が行われる。また、図１４Ａ〜図１４Ｄは、第４の洗浄処理に係るインク経路の洗浄状態の一部を示す説明図である。図１４Ａ〜図１４Ｄにおいて、矢印Ｘは、洗浄液の流れを示している。また、図１４Ａ〜図１４Ｄの第１メイン開閉機構４５Ａ〜第８メイン開閉機構４５Ｈ、第６サブ開閉機構４６Ｆ、第８サブ開閉機構４６Ｈ、第６バイパス開閉機構４８Ｆおよび第８バイパス開閉機構４８Ｈにおいて、「×」は、閉じた状態を示している。
【０１０６】
上述したステップＳ４１０〜ステップＳ５２０が行われた後、ステップＳ７３０において、第４吸引ポンプ６４Ｄを停止した状態で、カートリッジ９０Ｂを第６インク経路４２Ｆおよび第８インク経路４２Ｈに接続する（図１４Ａ参照）。
【０１０７】
次に、ステップＳ７４０において、第６メイン開閉機構４５Ｆおよび第６サブ開閉機構４６Ｆを開状態とすると共に、第６バイパス開閉機構４８Ｆおよび第８メイン開閉機構４５Ｈを閉状態とする。
【０１０８】
次に、ステップＳ７５０において、第４吸引ポンプ６４Ｄを上記所定の時間だけ駆動する。これにより、カートリッジ９０Ｂから一定量の洗浄液９２が第６インク経路４２Ｆに流入する。所定の時間が経過した後、第４吸引ポンプ６４Ｄを停止する。
【０１０９】
次に、ステップＳ７６０において、第８メイン開閉機構４５Ｈ、第６サブ開閉機構４６Ｆおよび第８サブ開閉機構４６Ｈを開状態とすると共に、第６メイン開閉機構４５Ｆ、第６バイパス開閉機構４８Ｆおよび第８バイパス開閉機構４８Ｈを閉状態とする（図１４Ｂ参照）。
【０１１０】
次に、ステップＳ７７０において、第４吸引ポンプ６４Ｄを上記所定の時間だけ駆動する。これにより、カートリッジ９０Ｂから一定量の洗浄液９２が第８インク経路４２Ｈに流入する。所定の時間が経過した後、第４吸引ポンプ６４Ｄを停止する。
【０１１１】
次に、ステップＳ７８０において、第４吸引ポンプ６４Ｄを停止した状態で、第６インク経路４２Ｆおよび第８インク経路４２Ｈからカートリッジ９０Ｂを取り外す（図１４Ｃ参照）。
【０１１２】
次に、ステップＳ７９０において、第６メイン開閉機構４５Ｆ、第６サブ開閉機構４６Ｆおよび第８サブ開閉機構４６Ｈを開状態とすると共に、第８メイン開閉機構４５Ｈ、第６バイパス開閉機構４８Ｆおよび第８バイパス開閉機構４８Ｈを閉状態とする。
【０１１３】
次に、ステップＳ８００において、第４吸引ポンプ６４Ｄを上記所定の時間だけ駆動する。これにより、図１４Ｃの矢印Ｘの示す方向に第６インク経路４２Ｆから洗浄液９２が抜き取られて洗浄液９２が廃液タンク（図示せず）に送られる。所定の時間が経過した後、第４吸引ポンプ６４Ｄを停止する。
【０１１４】
次に、ステップＳ８１０において、第８メイン開閉機構４５Ｈおよび第８サブ開閉機構４６Ｈを開状態とすると共に、第６メイン開閉機構４５Ｆおよび第８バイパス開閉機構４８Ｈを閉状態とする（図１４Ｄ参照）。
【０１１５】
次に、ステップＳ８２０において、第４吸引ポンプ６４Ｄを上記所定の時間だけ駆動する。これにより、図１４Ｄの矢印Ｘの示す方向に第８インク経路４２Ｈから洗浄液９２が抜き取られて洗浄液９２が廃液タンク（図示せず）に送られる。所定の時間が経過した後、第４吸引ポンプ６４Ｄを停止する。以上の処理により、インク経路４０の第１インク経路４２Ａ〜第８インク経路４２Ｈ、並びに、第６バイパスインク経路４７Ｆおよび第８バイパスインク経路４７Ｈを洗浄することができる。
【０１１６】
ここで、制御装置７０は、ステップＳ７３０〜ステップＳ７５０を実行するときに第５制御部７５として機能し、ステップＳ７６０〜ステップＳ７７０を実行するときに第７制御部７７として機能し、ステップＳ７８０〜ステップＳ８００を実行するときに第６制御部７６として機能し、ステップＳ８１０〜ステップＳ８２０を実行するときに第８制御部７８として機能する。
【０１１７】
以上、本発明の実施形態について説明した。しかし、上述の実施形態は例示に過ぎず、本発明は他の種々の形態で実施することが可能である。
【０１１８】
上述した各実施形態では、第２インクヘッド３０Ｂは、第１インクヘッド３０Ａの側方に配置され、第３インクヘッド３０Ｃは、第２インクヘッド３０Ｂの側方に配置され、第４インクヘッド３０Ｄは、第３インクヘッド３０Ｃの側方に配置されている。即ち、第１インクヘッド３０Ａ〜第４インクヘッド３０Ｄは、主走査方向Ａに直交する副走査方向Ｂ（図１参照）において同じ位置に配置されているが、第１インクヘッド３０Ａ〜第４インクヘッド３０Ｄが副走査方向Ｂにおいて互いに偏倚して配置される場合、いわゆるスタガ配置されている場合も、第２インクヘッド３０Ｂは、第１インクヘッド３０Ａの側方に配置され、第３インクヘッド３０Ｃは、第２インクヘッド３０Ｂの側方に配置され、第４インクヘッド３０Ｄは、第３インクヘッド３０Ｃの側方に配置されていることを意味する。
【符号の説明】
【０１１９】
１０  インクジェットプリンタ
３０Ａ  第１インクヘッド、３０Ｂ  第２インクヘッド
４０  インク経路
４２Ａ〜４２Ｄ  第１インク経路〜第４インク経路
４５Ａ〜４５Ｄ  第１〜第４メイン開閉機構
６２Ａ  第１吸引装置、６２Ｂ  第２吸引装置
７０  制御装置
７１  第１制御部
７２  第２制御部
７３  第３制御部
７４  第４制御部
７５  第５制御部
９０Ｂ  カートリッジ
【図１】
2017185660.tif 000003
【図２】
2017185660.tif 000004
【図３】
2017185660.tif 000005
【図４Ａ】
2017185660.tif 000006
【図４Ｂ】
2017185660.tif 000007
【図４Ｃ】
2017185660.tif 000008
【図４Ｄ】
2017185660.tif 000009
【図４Ｅ】
2017185660.tif 000010
【図４Ｆ】
2017185660.tif 000011
【図５】
2017185660.tif 000012
【図６】
2017185660.tif 000013
【図７】
2017185660.tif 000014
【図８Ａ】
2017185660.tif 000015
【図８Ｂ】
2017185660.tif 000016
【図８Ｃ】
2017185660.tif 000017
【図８Ｄ】
2017185660.tif 000018
【図８Ｅ】
2017185660.tif 000019
【図８Ｆ】
2017185660.tif 000020
【図９】
2017185660.tif 000021
【図１０Ａ】
2017185660.tif 000022
【図１０Ｂ】
2017185660.tif 000023
【図１１Ａ】
2017185660.tif 000024
【図１１Ｂ】
2017185660.tif 000025
【図１１Ｃ】
2017185660.tif 000026
【図１１Ｄ】
2017185660.tif 000027
【図１１Ｅ】
2017185660.tif 000028
【図１１Ｆ】
2017185660.tif 000029
【図１１Ｇ】
2017185660.tif 000030
【図１１Ｈ】
2017185660.tif 000031
【図１１Ｉ】
2017185660.tif 000032
【図１２】
2017185660.tif 000033
【図１３】
2017185660.tif 000034
【図１４Ａ】
2017185660.tif 000035
【図１４Ｂ】
2017185660.tif 000036
【図１４Ｃ】
2017185660.tif 000037
【図１４Ｄ】
2017185660.tif 000038